(57)【要約】【課題】簡単に各種切株を枯らして除去することができる切株処理具を提供する。【解決手段】この切株処理具１０は、薬を含浸又は付着させたシート部材１１と、このシート部材１１の一面を覆うように設けられた押さえ部材１２と、シート部材１１の他面側に突出して設けられたピン部材１３とを備えている。ピン部材１３を切株に刺し、押さえ部材１２によりシート部材１１を切株に押し当てることにより、シート部材１１に含浸又は付着された薬を切株に作用させる。【選択図】図１
2014079181.tif 000002
【特許請求の範囲】
【請求項１】
切株を枯らして除去する切株処理具であって、
薬を含浸又は付着させたシート部材と、
このシート部材の一面を覆うように設けられた押さえ部材と、
前記シート部材の他面側に突出して設けられたピン部材と
を備えたことを特徴とする切株処理具。
【請求項２】
前記シート部材は木よりなり、前記ピン部材は金属よりなることを特徴とする請求項１記載の切株処理具。
【請求項３】
前記押さえ部材は、前記シート部材の全面を覆う覆い部と、この覆い部の前記シート部材の反対側に設けられた把持部とを有することを特徴とする請求項１又は請求項２記載の切株処理具。
【発明の詳細な説明】
【技術分野】
【０００１】
本発明は、切株を枯らして除去するための切株処理具に関する。
【背景技術】
【０００２】
不要となった樹木を伐採した後に残った切株は、そのままにしておくと、新芽が出て成長してしまう。そこで、切株を除去する必要がある。除去する方法としては、例えば、切株から出てきた新芽に除草剤を散布して枯らし、また新芽が出てきたら除草剤を散布して枯らすという作業を複数回繰り返し、切株を枯らすというやり方がある。しかし、この方法では、切株が枯れるまでに何日も作業が必要となり、手間がかかるという問題があった。
【０００３】
また、他の方法としては、木製の楊枝状の部材に薬を含浸させたものを切株に刺して切株を枯らすというやり方がある。しかし、この方法は、適用できる木の種類が限定されているので利用範囲が狭く、ニセアカシアやイタチハギに適用することができないという問題があった。更に、この方法では、切株に直接部材をさすことができないので、錐などで切株に穴を開けてその穴に差し込む必要があり、作業が面倒であるという問題もあった。
【先行技術文献】
【特許文献】
【０００４】
【特許文献１】特開２０１０−２６８６９５号公報
【発明の概要】
【発明が解決しようとする課題】
【０００５】
本発明は、このような問題に基づきなされたものであり、各種切株を簡単に枯らして除去することができる切株処理具を提供することを目的とする。
【０００６】
なお、特許文献１には、長尺ロットの先端に薬液の噴出口を開けるとともに、噴出口の近傍に切刃を固定した薬剤散布ノズルが記載されている。この薬剤散布ノズルは、例えば、切刃で切株の表皮を剥がし、表皮の内側に噴出口から薬液を散布するものである。しかし、本願発明とは具体的な構成及び用い方が全く異なっている。
【課題を解決するための手段】
【０００７】
本発明の切株処理具は、切株を枯らして除去するものであって、薬を含浸又は付着させたシート部材と、このシート部材の一面を覆うように設けられた押さえ部材と、シート部材の他面側に突出して設けられたピン部材とを備えたものである。
【発明の効果】
【０００８】
本発明の切株処理具によれば、薬を含浸又は付着させたシート部材の一面を押さえ部材で覆い、他面側にピン部材を突出して設けるようにしたので、ピン部材を切株に刺し、押さえ部材によりシート部材を切株に押し当てることにより、シート部材に含浸又は付着された薬を切株に作用させることができる。よって、樹木を伐採したのち、直ちに、切株に本発明の切株処理具を刺して薬を作用させることができ、１日の作業で簡単に切株を枯らすことができる。
【０００９】
また、ピン部材を金属により構成するようにすれば、切株に容易に刺すことができ、作業をより容易とすることができる。更に、シート部材を木により構成するようにすれば、自然と土壌化させることができ、環境に与える影響を小さくすることができる。
【００１０】
加えて、押さえ部材は覆い部と把持部とを有し、覆い部がシート部材の全面を覆うようにすれば、雨などによりシート部材に含浸又は付着された薬が周りに漏れ出してしまうことを抑制することができ、環境に与える影響を小さくすることができる。また、把持部を設けるようにすれば、簡単かつ安全に作業することができる。
【図面の簡単な説明】
【００１１】
【図１】本発明の一実施の形態に係る切株処理具の構成を表す図である。
【発明を実施するための形態】
【００１２】
以下、本発明の実施の形態について図面を参照して詳細に説明する。
【００１３】
図１は、本発明の一実施の形態に係る切株処理具１０の構成を表すものであり、（Ａ）は横から見た図、（Ｂ）は上から見た図である。この切株処理具１０は、切株を枯らして除去するものであり、薬を含浸又は付着させたシート部材１１と、このシート部材１１の一面を覆うように設けられた押さえ部材１２と、シート部材１１の他面側に突出して設けられたピン部材１３とを備えている。この切株処理具１０は、例えば、ピン部材１３を切株に刺し、押さえ部材１２によりシート部材１１を切株に押し当てることにより、シート部材１１に含浸又は付着された薬を切株に作用させるものである。
【００１４】
シート部材１１は、例えば、木により構成することが好ましい。切株に刺したまま放置しても自然と土壌化させることができるからである。具体的には、例えば、経木が挙げられる。シート部材１１は、例えば、押さえ部材１２に接着されている。シート部材１１の形状は、例えば、四角形、楕円形、円形、三角形などどのような形状でもよいが、一方向に伸長された形状、すなわち、幅方向よりも長さ方向が長い形状とされていることが好ましい。長さ方向を切株の師管部に沿って配置することにより、より効果的に作用させることができるからである。長さ方向の大きさは、例えば、１．５ｃｍから３．０ｃｍ程度、幅方向の大きさは、例えば、０．５ｃｍから１．５ｃｍ程度であることが好ましい。
【００１５】
薬は、植物を枯らす作用のあるものであればどのようなものでもよい。例えば、グリホサートイソプロピルアミン塩を主成分とした非選択型除草剤であれば、各種樹木に適用することができるので好ましい。薬は、例えば、液状のものであればシート部材１１に含浸されており、粉末状のものであればシート部材１１の他面、すなわちピン部材１３が突出されている面に付着されている。薬は、液状のものでも、粉末状のものでもよいが、液状の方がより好ましい。シート部材１１に含浸させることができるので、取り扱いが容易であり、切株にも効果的に作用させることができるからである。
【００１６】
押さえ部材１２は、例えば、シート部材１１を覆う覆い部１２Ａを有している。覆い部１２Ａは、例えば、上から見た大きさがシート部材１１と同じか、又は、シート部材１１よりも大きく形成されており、シート部材１１の全面を覆うように構成されていることが好ましい。雨などによりシート部材１１に含浸された薬が漏れ出してしまうことを抑制するためである。押さえ部材１２は、また、例えば、覆い部１２のシート部材１１の反対側に、指でつまむのに適した大きさの把持部１２Ｂが設けられていることが好ましい。手袋などをしていても容易に持つことができ、簡単かつ安全に作業することができるからである。
【００１７】
押さえ部材１２は、例えば、木又は生分解性プラスチックにより構成することが好ましい。切株に刺したまま放置しても自然と土壌化させることができるからである。特に、生分解性プラスチックにより構成すれば、加工を容易とすることができるのでより好ましい。ピン部材１３は、例えば、金属により構成することが好ましい。切株に容易に刺すことができるので、作業を容易とすることができるからである。ピン部材１３は、例えば、押さえ部材１２に取り付けられている。
【００１８】
この切株処理具１０は、例えば、切株の師管部にピン部材１３を刺し、師管部に沿ってシート部材１１を配置するように、押さえ部材１２によりシート部材１１を切株に押し当てる。これにより、シート部材１１に含浸又は付着された薬が切株に徐々に作用する。
【００１９】
このように本実施の形態によれば、薬を含浸又は付着させたシート部材１１の一面を押さえ部材１２で覆い、他面側にピン部材１３を突出して設けるようにしたので、ピン部材１３を切株に刺し、押さえ部材１２によりシート部材１１を切株に押し当てることにより、シート部材１１に含浸又は付着された薬を切株に作用させることができる。よって、樹木を伐採したのち、直ちに、切株にこの切株処理具１０を刺して薬を作用させることができ、１日の作業で簡単に切株を枯らすことができる。
【００２０】
また、ピン部材１３を金属により構成するようにすれば、切株に容易に刺すことができ、作業をより容易とすることができる。更に、シート部材１１を木により構成するようにすれば、自然と土壌化させることができ、環境に与える影響を小さくすることができる。
【００２１】
加えて、押さえ部材１２は覆い部１２Ａと把持部１２Ｂとを有し、覆い部１２Ａがシート部材１１の全面を覆うようにすれば、雨などによりシート部材１１に含浸又は付着された薬が周りに漏れ出してしまうことを抑制することができ、環境に与える影響を小さくすることができる。また、把持部１２Ｂを設けるようにすれば、簡単かつ安全に作業することができる。
【００２２】
以上、実施の形態を挙げて本発明を説明したが、本発明は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【産業上の利用可能性】
【００２３】
切株の処理に用いることができる。
【符号の説明】
【００２４】
１０…切株処理具、１１…シート部材、１２…押さえ部材、１２Ａ…覆い部、１２Ｂ…把持部、１３…ピン部材
【図１】
2014079181.tif 000003